(57)【要約】【課題】  本発明は、信頼性を向上し得る自動利得制御装置及び自動利得制御方法を提案する。【解決手段】  入力音声信号の低音域及び高音域若しくは低音域の音圧レベルを検出するレベル検出手段と、レベル検出手段により検出された音圧レベルに応じて所定の周波数特性に近似した補正カーブを可変し、当該補正カーブに従って入力音声信号を補正する補正手段と、補正手段により補正された入力音声信号の信号レベルを調整するレベル調整手段とを設けるようにしたことにより、音声として聞こえにくい低音域及び高音域が中音域と同様に自動利得制御するのを有効に防止することにでき、かくして信頼性を向上し得る自動利得制御装置が実現できる。【選択図】        図２
2005184154.tif 000002
【特許請求の範囲】
【請求項１】
入力音声信号の低音域及び高音域若しくは低音域の音圧レベルを検出するレベル検出手段と、
上記レベル検出手段により検出された上記音圧レベルに応じて所定の周波数特性に近似した補正カーブを可変し、当該補正カーブに従って上記入力音声信号を補正する補正手段と、
上記補正手段により補正された上記入力音声信号の信号レベルを調整するレベル調整手段と
を具えることを特徴とする自動利得制御装置。
【請求項２】
上記補正手段は、
上記周波数特性に近似した補正カーブとして、人間の聴覚感度の周波数特性に近似した補正カーブを上記音圧レベルが大きいほど平坦となるように可変する
ことを特徴とする請求項１に記載の自動利得制御装置。
【請求項３】
上記レベル調整手段により調整された上記入力音声信号に含まれる所定のノイズ成分を除去する除去手段を具え、
上記補正手段は、
上記周波数特性に近似した補正カーブとして、上記ノイズ成分における周波数特性の逆特性に近似した補正カーブを上記音圧レベルが小さいほど平坦となるように可変する
ことを特徴とする請求項１に記載の自動利得制御装置。
【請求項４】
上記レベル検出手段は、
複数の上記入力信号から低音域の信号成分を抽出する抽出手段を具え、
上記抽出手段により抽出された上記低音域の信号成分の上記音圧レベルを検出する
ことを特徴とする請求項３に記載の自動利得制御装置。
【請求項５】
入力音声信号の低音域及び高音域若しくは低音域の音圧レベルを検出する第１のステップと、
上記第１のステップで検出された上記音圧レベルに応じて所定の周波数特性に近似した補正カーブを可変し、当該補正カーブに従って上記入力音声信号を補正する第２のステップと、
上記第２のステップで補正された上記入力音声信号の信号レベルを調整する第３のステップと
を具えることを特徴とする自動利得制御方法。
【請求項６】
上記第２のステップでは、
上記周波数特性に近似した補正カーブとして、人間の聴覚感度の周波数特性に近似した補正カーブを上記音圧レベルが大きいほど平坦となるように可変する
ことを特徴とする請求項５に記載の自動利得制御方法。
【請求項７】
上記第３のステップで調整された上記入力音声信号に含まれる所定のノイズ成分を除去する除去ステップを具え、
上記第２のステップでは、
上記周波数特性に近似した補正カーブとして、上記ノイズ成分における周波数特性の逆特性に近似した補正カーブを上記音圧レベルが小さいほど平坦となるように可変する
ことを特徴とする請求項５に記載の自動利得制御方法。
【請求項８】
上記第１のステップでは、
複数の上記入力信号から低音域の信号成分を抽出する抽出ステップを具え、
上記抽出ステップで抽出された上記低音域の信号成分の上記音圧レベルを検出する
ことを特徴とする請求項７に記載の自動利得制御方法。
【発明の詳細な説明】
【技術分野】
【０００１】
本発明は、自動利得制御装置及び自動利得制御方法に関し、例えば、ビデオカメラ等のように音声を記録する電子機器に適用して好適なものである。
【背景技術】
【０００２】
従来、この種の電子機器においては、入力された音声の音圧レベルを自動で調整する自動利得制御装置を搭載したものがある。
【０００３】
図１２に示すように、この自動利得制御装置１は、入力された音声信号Ｓ１をレベル制御部２を介してフィードバック処理部３に送出する。フィードバック処理部３の検波部３Ａは、供給される音声信号Ｓ１の音圧レベルを単位時間ごとに例えばピーク検波し、当該検波結果を順次比較部３Ｂに送出する。比較部３Ｂは、検波結果の音圧レベルと、上限及び下限閾値からなる基準音圧レベルＳ２とを比較し、当該比較結果を制御値生成部３Ｃに送出する。制御値生成部３Ｃは、この比較結果により得られる音圧レベルのレベル差を音圧レベル調整信号Ｓ３として生成し、これをレベル制御部２に送出する。レベル制御部２は、音圧レベル調整信号Ｓ３に基づいて、単位時間帯における音声信号Ｓ１が所定のレベル範囲内となるようにレベル制御する。
【０００４】
このようにして自動利得制御装置１はフィードバック制御し、音声信号Ｓ１のダイナミックレンジを調整する。これにより自動利得制御装置１は、音声信号Ｓ１を記録する際に生じる音声歪みを未然に回避することができるようになされている。
【０００５】
しかしながら、この自動利得制御装置１は、単位時間帯における音声信号Ｓ１を全周波数帯域にわたってレベル制御するため、人間の可聴域以外の周波数帯域や、当該可聴域のうち聴感上鋭敏ではない低音域及び高音域の音圧レベルのみが大きい場合であっても、聴感上鋭敏な中音域にレベル変動が生じることとなり、この結果、本来着目すべき中音域に現れる人間の声等の音声が急に小さくなって不自然となる。特に、この自動利得制御装置１を搭載するビデオカメラ等の可搬型電子機器が屋外で用いられた場合には、低音域に音圧レベルの大きい風の音成分が現れることが多く、この場合にかかる不自然さは顕在化する傾向にある。
【０００６】
かかる問題を解決する１つの方法として、自動利得制御装置１への入力前に低音域及び高音域の音圧レベルを調節するフィルタを設けるような方法が提案されている（例えば特許文献１）。
【特許文献１】特公平７−８５２８３号公報
【発明の開示】
【発明が解決しようとする課題】
【０００７】
しかしながらこのような方法によれば、入力される音声信号のうち、低音域及び高音域を一律にフィルタリングするため、会議の録音等のように中音域の音声を明瞭に録音する場合には有効であるが、ビデオカメラでの撮影等に適用した場合には、その撮影場所に応じた自然な音声を得ることができず、この結果、記録される音声の信頼性が損なわれてしまうという問題があった。
【０００８】
本発明は以上の点を考慮してなされたもので、信頼性を向上し得る自動利得制御装置及び自動利得制御方法を提案するものである。
【課題を解決するための手段】
【０００９】
かかる課題を解決するために本発明においては、入力音声信号の低音域及び高音域若しくは低音域の音圧レベルを検出するレベル検出手段と、レベル検出手段により検出された音圧レベルに応じて所定の周波数特性に近似した補正カーブを可変し、当該補正カーブに従って入力音声信号を補正する補正手段と、補正手段により補正された入力音声信号の信号レベルを調整するレベル調整手段とを設けるようにした。
【００１０】
これによりこの自動利得制御装置では、音声として聞こえにくい低音域及び高音域が中音域と同様に自動利得制御するのを有効に防止することにできる。
【００１１】
またかかる課題を解決するために本発明においては、入力音声信号の低音域及び高音域若しくは低音域の音圧レベルを検出する第１のステップと、第１のステップで検出された音圧レベルに応じて所定の周波数特性に近似した補正カーブを可変し、当該補正カーブに従って入力音声信号を補正する第２のステップと、第２のステップで補正された入力音声信号の信号レベルを調整する第３のステップとを設けるようにした。
【００１２】
これによりこの自動利得制御方法では、音声として聞こえにくい低音域及び高音域が中音域と同様に自動利得制御するのを有効に防止することにできる。
【発明の効果】
【００１３】
以上のように本発明によれば、入力音声信号の低音域及び高音域若しくは低音域の音圧レベルを検出するレベル検出手段と、レベル検出手段により検出された音圧レベルに応じて所定の周波数特性に近似した補正カーブを可変し、当該補正カーブに従って入力音声信号を補正する補正手段と、補正手段により補正された入力音声信号の信号レベルを調整するレベル調整手段とを設けるようにしたことにより、音声として聞こえにくい低音域及び高音域が中音域と同様に自動利得制御するのを有効に防止することにでき、かくして信頼性を向上し得る自動利得制御装置が実現できる。
【００１４】
また以上のように本発明によれば、入力音声信号の低音域及び高音域若しくは低音域の音圧レベルを検出する第１のステップと、第１のステップで検出された音圧レベルに応じて所定の周波数特性に近似した補正カーブを可変し、当該補正カーブに従って入力音声信号を補正する第２のステップと、第２のステップで補正された入力音声信号の信号レベルを調整する第３のステップとを設けるようにしたことにより、音声として聞こえにくい低音域及び高音域が中音域と同様に自動利得制御するのを有効に防止することにでき、かくして信頼性を向上し得る自動利得制御装置が実現できる。
【発明を実施するための最良の形態】
【００１５】
以下図面について、本発明の一実施の形態を詳述する。
【００１６】
（１−１）前処理ブロックの構成
図１において、１０は全体としてシングルチャンネル、いわゆるモノラル入力の前処理ブロックを示し、音声信号に対してディジタル化処理や記録処理等を施す処理ブロック（図示せず）の前段に設けられている。この前処理ブロック１０は、マイクロホン１１を介して入力される音声信号をアンプ１２を介して増幅した後、自動利得制御装置２０を介して音圧レベルが所定のレベル範囲内となるように可変制御して音量調整するようになされている。
【００１７】
（１−２）自動利得制御装置の構成
この自動利得制御装置２０においては、図１２との対応部分に同一符号を付した図２に示すように、従来の自動利得制御装置１とは異なる点の１つとして、アンプ１２（図１）から供給される音声信号Ｓ１１の音圧レベルを補正する周波数特性補正部２１が新たに設けられている。
【００１８】
この周波数特性補正部２１においては、人間の聴覚感度が４[kHz]付近から低音域及び高音域に移行するほど低下するといった周波数特性を利用し、当該人間の聴覚感度に応じて補正するようになされている。
【００１９】
具体的には周波数特性補正部２１は、例えば図３に示すように、かかる人間の聴覚感度の周波数特性に近似した補正カーブ（以下、これを聴感補正カーブと呼ぶ）に応じて音声信号Ｓ１１を補正し、当該補正した音声信号Ｓ１１を補正音声信号Ｓ１２としてフィードバック処理部３に送出するようになされている。
【００２０】
この補正音声信号Ｓ１２は、音声信号Ｓ１１のうち低音域及び高音域の音圧レベルを中音域に比して引き下げられた信号となる。そしてフィードバック処理部３は、かかる補正音声信号Ｓ１２と基準音圧レベルＳ２との比較結果を音圧レベル調整信号Ｓ１３としてレベル制御部２に与え、レベル制御部２は、この音圧レベル調整信号Ｓ１３に基づいて音声信号Ｓ１１の音圧レベルを可変制御する。
【００２１】
このようにしてこの自動利得制御装置２０は、聴覚感度の低い低音域及び高音域の音圧レベルを引下補正した結果得られる補正音声信号Ｓ１２に基づいて音声信号Ｓ１１の音圧レベルを調整することにより、音声信号Ｓ１１のうち低音域及び高音域の音圧レベルのみが大きい場合であっても、聴感上鋭敏な中音域におけるレベル変動を未然に防止することができるようになされている。
【００２２】
ここで、所定の基準に従って人間の聴覚感度の統計的な平均値を表した等感曲線、いわゆる等ラウドネスカーブを示す図４からも分かるように、人間の聴覚感度は実際の音（即ち音声信号の音圧レベル）の大小にかかわらず低音域及び高音域に移行するほど中音域に比して感度低下する点で同じ周波数特性を有しているが、当該実際の音が大きくなるほど中音域と、低音域及び高音域との感度差が小さくなる点で異なった周波数特性を有している。
【００２３】
従って自動利得制御装置２０は、音声信号Ｓ１１を固定の聴感補正カーブで補正したのでは、音声信号Ｓ１１の中音域における不要なレベル変動をきたし、ひいては不自然な音声となる場合がある。
【００２４】
そこでこの実施の形態における自動利得制御装置２０は、音声信号Ｓ１１の低音域及び高音域の音圧レベルに応じて聴感補正カーブ（図３）を可変するようになされている。
【００２５】
実際上、自動利得制御装置２０は、入力された音声信号Ｓ１１を音圧レベル検出処理部２２の抽出部２２Ａに送出する。抽出部２２Ａは、音声信号Ｓ１１のうち低音域及び高音域の成分を所定単位時間ごとに抽出し、当該低音域及び高音域の成分を低音域及び高音域成分信号Ｓ１４として生成し、これをレベル検出部２２Ｂに送出する。レベル検出部２２Ｂは、低音域及び高音域成分信号Ｓ１４の音圧レベルを計測器や所定の演算処理を用いて検出し、当該検出結果を音圧レベル検出信号Ｓ１５として周波数特性補正部２１に送出する。
【００２６】
そして周波数特性補正部２１は、図４に示した等ラウドネスカーブのうち例えば１０[phon]〜１３０[phon]の周波数特性の逆特性にそれぞれ近似した複数の聴感補正カーブを例えば内部メモリに記憶保持するようになされており、これら聴感補正カーブのうち、レベル検出部２２Ｂから供給される音圧レベル検出信号Ｓ２２の音圧レベルに対応する聴感補正カーブを選択する。
【００２７】
具体的に周波数特性補正部２１は、例えば図５に示すように、このときレベル検出部２２Ｂから供給される音圧レベル検出信号Ｓ１５の音圧レベルが５０[phon]であった場合には、この５０[phon]の周波数特性（図４）の逆特性に近似した聴感補正カーブＫ１を選択し、当該音圧レベルが８０[phon]であった場合には、この８０[phon]の周波数特性（図４）の逆特性に近似した聴感補正カーブＫ２を選択し、当該音圧レベルが１０[phon]であった場合には、この１０[phon]の周波数特性（図４）の逆特性に近似した聴感補正カーブＫ３を選択する。
【００２８】
この後、周波数特性補正部２１は、このとき選択した例えば聴感補正カーブＫ３に応じて音声信号Ｓ１１を補正し、当該補正した音声信号Ｓ１１を補正音声信号Ｓ１２としてフィードバック処理部３に送出する。
【００２９】
このようにして自動利得制御装置２０は、音声信号Ｓ１１の低音域及び高音域の音圧レベルに応じて聴感補正カーブ（図３）の補正値を可変することができるようになされている。
【００３０】
（１−３）動作及び効果
以上の構成において、この自動利得制御装置２０は、低音域及び高音域の音圧レベルに応じた聴感補正カーブを選択し、その選択した聴感補正カーブに従って低音域及び高音域の音圧レベルを聴感に合うように補正するようにした。
【００３１】
従って、この自動利得制御装置２０では、音声として聞こえにくい低音域及び高音域が中音域と同様に自動利得制御するのを有効に防止することにでき、かつ音圧レベルが大きくなるにつれて聴感補正カーブが平坦になるために出力される音声信号のダイナミックレンジが上限値を超えてしまうのを有効に防止することができる。
【００３２】
以上の構成によれば、低音域及び高音域の音圧レベルに応じて聴感補正カーブを選択し、その選択した聴感補正カーブに応じて低音域及び高音域の音圧レベルを聴感に合うように補正するようにしたことにより、音声として聞こえにくい低音域及び高音域が中音域と同様に自動利得制御するのを有効に防止することにでき、かつ音圧レベルが大きくなるにつれて聴感補正カーブが平坦になるために出力される音声信号のダイナミックレンジが上限値を超えてしまうのを有効に防止することができ、かくして信頼性を向上することができる。
【００３３】
（２−１）前処理ブロックの構成
図１との対応部分に同一符号を付すと共に、Ｒチャンネル及びＬチャンネルを対応部分に「Ｒ」、「Ｌ」として付して示す図６において、３０は全体としてステレオ入力の前処理ブロックを示し、自動利得制御装置４０の後段に風ノイズ除去装置３１が設けられていることを除いて同様に構成されている。
【００３４】
ここで第１の実施の形態においては、音声信号のうち低音域及び高音域の音圧レベルが大きくなるほど補正カーブを平坦にして音声信号を自動利得制御しやすくするようになされているが、本実施の形態においては、低音域に含まれる風ノイズの音圧レベルが大きくなるほど音声信号を自動利得制御しにくくし、かかる風ノイズを後段の風ノイズ除去装置３１においてを除去するようになされている。
【００３５】
なお本実施の形態においては、この自動利得制御装置４０を搭載するビデオカメラ等の可搬型電子機器が屋外で用いられる場合等、低音域に音圧レベルの大きい風の音成分が多く現れるような場所において特に適している。
【００３６】
（２−２）自動利得制御装置の構成
この自動利得制御装置４０においては、図２との対応部分に同一符号を付すと共に、Ｒチャンネル及びＬチャンネルを対応部分に「Ｒ」、「Ｌ」として付して示す図７に示すように、第１の実施の形態による自動利得制御装置２０とは異なる点の１つとして、アンプ１２Ｒ及び１２Ｌ（図６）から供給される音声信号Ｓ１１Ｒ及びＳ１１Ｌを減算する演算部４１が新たに設けられている。
【００３７】
この演算部４１は、例えば音声信号Ｓ１１Ｌから音声信号Ｓ１１Ｒを減算し、かくして得られる差音声信号Ｓ４１を音圧レベル検出部２２に送出する。
【００３８】
ここでマイクロホン１１Ｒ及び１１Ｌに音声信号が入力される際には、例えばマイクロホン１１Ｒ及び１１Ｌに覆設された金あみにおいて風の渦巻き現象が生じるため、当該音声信号Ｓ１１Ｒ及びＳ１１Ｌには、非相関及び又は位相が反転した風ノイズ信号が含まれることとなる。
【００３９】
従って差音声信号Ｓ４１は、音声信号Ｓ１１Ｒ及びＳ１１Ｌのうち非相関及び又は位相が反転した風ノイズ信号が多く含まれた信号となる。そして音圧レベル検出部２２の抽出部２２Ａは、低音域の成分、ここではとりわけ風ノイズ信号が多く含まれている１[kHz]以下の周波数成分を所定単位時間毎に抽出し、レベル検出部２２Ｂを介して風ノイズ検出信号Ｓ４２として周波数特性補正部４２Ｒ及び４２Ｌに送出する。
【００４０】
ここで通常風ノイズ信号の音圧レベルが大きい場合においては、自動利得制御するようになされているが、本実施の形態においては、自動利得制御装置４０の後段において風ノイズ信号は風ノイズ除去装置３１（図６）により除去されるようになされているため、仮に風ノイズ信号の音圧レベルに応じて自動利得制御してしまうと、風ノイズ除去装置３１の出力結果として得られる音声が不自然に変動しているように感じられる。
【００４１】
そこで周波数特性補正部４２Ｒ及び４２Ｌは、図８に示すように、風ノイズの音圧レベルが大きいほど供給された音声信号Ｓ１１Ｒ及びＳ１１Ｌを補正する風ノイズ補正カーブによって風ノイズ信号が多く含まれている１[kHz]以下の周波数帯域のみ感度の低下率を大きくするようになされている。
【００４２】
具体的に周波数特性補正部４２Ｒ及び４２Ｌは、このときレベル検出部２２Ｂから供給される風ノイズ検出信号Ｓ４２の音圧レベルが小さい場合には、最もカーブが平坦な風ノイズ補正カーブＫ４を選択し、当該音圧レベルが中程度の場合には、カーブが中程度の風ノイズ補正カーブＫ５を選択し、当該音圧レベルが大きい場合には、最もカーブが急峻な風ノイズ補正カーブＫ６を選択する。
【００４３】
この後、周波数特性補正部４２Ｒ及び４２Ｌは、このとき選択した例えば風ノイズ補正カーブＫ６に応じて音声信号Ｓ１１Ｒ及びＳ１１Ｌを補正し、当該補正した音声信号Ｓ１１Ｒ及びＳ１１Ｌを補正音声信号Ｓ４３Ｒ及びＳ４３Ｌとしてフィードバック処理部３Ｒ及び３Ｌに送出し、フィードバック処理を実行することにより、かくして得られる音圧レベル調整信号Ｓ４４Ｒ及びＳ４４Ｌを制御値選択部４３へ送出する。
【００４４】
制御値選択部４３は、供給された音圧レベル調整信号Ｓ４４Ｒ及びＳ４４Ｌに対して例えば音圧レベル調整信号Ｓ４４Ｒ及びＳ４４Ｌのうち制御値の大きい方を選択音圧レベル調整信号Ｓ４５Ｒ及びＳ４５Ｌとして生成し、これをレベル制御部２Ｒ及び２Ｌに送出する。なお、制御値選択部４３は、音圧レベル調整信号Ｓ４４Ｒ及びＳ４４Ｌを、選択音圧レベル調整信号Ｓ４５Ｒ及びＳ４５Ｌとして対応するレベル制御部２Ｒ及び２Ｌに送出しても良い。
【００４５】
このようにして自動利得制御装置４０は、音声信号Ｓ１１Ｒ及びＳ１１Ｌの風ノイズ信号の音圧レベルが大きいほど急峻な風ノイズ補正カーブ（図８）を用いて自動利得制御できるようになされている。
【００４６】
（２−３）動作及び効果
以上の構成において、この自動利得制御装置４０は、風ノイズ検出信号Ｓ４２の音圧レベルに対応する風ノイズ補正カーブを選択し、その選択した風ノイズ補正カーブに応じて風ノイズ信号の音圧レベルを補正するようにした。
【００４７】
従って、この自動利得制御装置４０では、低音域の音圧レベルが大きくなるにつれて風ノイズ補正カーブが急峻となるために、風ノイズ信号による自動利得制御を防止することができ、後段の風ノイズ除去装置３１において風ノイズ信号を除去することにより、自然な音声を得ることができる。
【００４８】
以上の構成によれば、風ノイズ検出信号Ｓ４２の音圧レベルに対応する風ノイズ補正カーブを選択し、その選択した風ノイズ補正カーブに応じて風ノイズ信号の音圧レベルを補正するようにしたことにより、低音域の音圧レベルが大きくなるにつれて風ノイズ補正カーブの補正値が急峻となるために、風ノイズ信号による自動利得制御を防止することができ、後段の風ノイズ除去装置３１において風ノイズ信号を除去することにより、自然な音声を得ることができ、かくして信頼性を向上することができる。
【００４９】
（３）他の実施の形態
なお第１の実施の形態においては、自動利得制御装置２０をフィードバック制御した場合について述べたが、本発明はこれに限らず、図２との対応部分に同一符号を付して示す図９のように、自動利得制御装置５０をフィードフォワード制御することによりかかる自動利得制御装置５０を制御するようにしても良い。
【００５０】
また第１の実施の形態においては、周波数特性補正部２１における聴感補正カーブは音圧レベルに応じて可変した場合について述べたが、本発明はこれに限らず、聴感補正カーブをある一定の周波数特性に固定するようにしても良い。
【００５１】
さらに第１の実施の形態においては、音圧レベルに応じて聴感補正カーブＫ１、Ｋ２及びＫ３の曲線を適用した場合について述べたが、本発明はこれに限らず、例えば５０[phon]の周波数特性の逆特性に近似した聴感補正カーブを基準として、当該聴感補正カーブのうち低音域に対応する補正値を、音圧レベル検出信号Ｓ２２の音圧レベルに応じて可変するようにしても良い。
【００５２】
さらに第１の実施の形態においては、抽出部２２Ａにおいて低音域及び高音域の周波数成分を抽出した場合について述べたが、本発明はこれに限らず、低音域のみの周波数成分又はある周波数帯域についての周波数成分を抽出するようにしても良い。
【００５３】
さらに第２の実施の形態においては、自動利得制御装置４０をフィードバック制御した場合について述べたが、本発明はこれに限らず、図７との対応部分に同一符号を付して示す図１０のように、自動利得制御装置６０をフィードフォワード制御することによりかかる自動利得制御装置６０を制御するようにしても良い。
【００５４】
さらに第２の実施の形態においては、ステレオ入力における場合について述べたが、本発明はこれに限らず、２系統以上のマルチチャンネルの入力における場合についても同様に適用することができ、またいずれか一方のみで制御することにより、シングルチャンネルにすることもできる。
【００５５】
さらに第２の実施の形態においては、レベル調整手段により調整された入力音声信号に含まれる所定のノイズ成分を除去する除去手段として、風の音成分を除去する風ノイズ除去装置３１を適用した場合について述べたが、本発明はこれに限らず、種々の所定のノイズ成分を除去するノイズ除去装置について広く適用することができる。
【００５６】
さらに第２の実施の形態においては、複数の音声信号から低音域の信号成分を抽出する抽出手段として、演算部４１において減算をおこなった場合について述べたが、本発明はこれ限らず、例えば音声信号Ｓ１１Ｒ及びＳ１１Ｌを加算し除算することにより平均をとり、当該演算結果により以下の処理を実行する等、減算以外の演算処理又は低音域の信号成分を抽出する抽出処理を実行することにより格別の効果を得られるその他種々の演算処理又は抽出処理を広く適用することができる。
【００５７】
さらに第２の実施の形態においては、演算部４１において減算をおこない、風ノイズ信号を抽出して、周波数特性補正部２１において風ノイズ補正カーブによって周波数特性を補正する場合について述べたが、本発明はこれに限らず、別段に、減算をせず低音域及び高音域の周波数成分を抽出して、音圧レベルを検出し、周波数特性補正部２１において風ノイズ補正カーブの後段に聴感補正カーブよって補正することにより、両機能を共に使用するようにしても良い。
【００５８】
さらに第１及び第２の実施の形態においては、周波数特性補正部２１において聴感補正カーブ又は風ノイズ補正カーブを適用した場合について述べたが、本発明はこれに限らず、その他種々の周波数特性を有する補正カーブについて適用することができる。
【００５９】
例えば屋内又は屋外における環境音は、図１１に示すように、１／ｆ及び１／ｆ２に近似した周波数特性を有している場合が多いことから、これら１／ｆ及び１／ｆ２の周波数特性の逆特性をとり、この補正カーブを周波数特性補正部２１に適用することにより屋外又は屋内において入力された音声信号を補正するようにしても良い。
【００６０】
さらに第１、第２及び他の実施の形態においては、聴感補正カーブ及び風ノイズ補正カーブ、並びに１／ｆ及び１／ｆ２の逆特性のカーブをそれぞれの自動利得制御装置において適用した場合について述べたが、本発明はこれに限らず、これらを筐体外部に取り付けられた操作ボタン等により選択することにより、その環境に応じて種々の周波数特性を有する補正カーブを選択するようにしても良い。
【００６１】
さらに第１、第２及び他の実施の形態においては、フィードバック制御及びフィードフォワード制御によって入力された音声信号を制御した場合について述べたが、本発明はこれに限らず、その他種々の制御形態にも広く適用することができ、またフィードバック制御及びフィードフォワード制御を共に使用するようにしても良い。
【産業上の利用可能性】
【００６２】
本発明は、ビデオカメラ以外の種々の音声を記録する電子機器に適用できる。
【図面の簡単な説明】
【００６３】
【図１】第１の実施の形態による前処理ブロックの構成を示すブロック図である。
【図２】第１の実施の形態による自動利得制御装置の構成を示すブロック図である。
【図３】周波数特性補正部における聴感補正カーブを示す略線グラフである。
【図４】等ラウドネスカーブを示す略線グラフである。
【図５】周波数特性補正部において可変する聴感補正カーブを示す略線グラフである。
【図６】第２の実施の形態による前処理ブロックの構成を示すブロック図である。
【図７】第２の実施の形態による自動利得制御装置の構成を示すブロック図である。
【図８】周波数特性補正部において可変する風ノイズ補正カーブを示す略線グラフである。
【図９】他実施の形態による自動利得制御装置の構成を示すブロック図である。
【図１０】他実施の形態による自動利得制御装置の構成を示すブロック図である。
【図１１】環境音のパワースペクトラム例を示す略線グラフである。
【図１２】従来の自動利得制御装置の構成を示すブロック図である。
【符号の説明】
【００６４】
１、２０、４０、５０、６０……自動利得制御装置、２……レベル制御部、３、３Ｒ、３Ｌ……フィードバック処理部、１０、３０……前処理ブロック、２１、４２Ｒ、４２Ｌ……周波数特性補正部、２２……検出レベル処理部、２２Ａ……抽出部、２２Ｂ……レベル検出部、３１……風ノイズ除去装置、４１……演算部、４３……制御値選択部。
【図１】
2005184154.tif 000003
【図２】
2005184154.tif 000004
【図３】
2005184154.tif 000005
【図４】
2005184154.tif 000006
【図５】
2005184154.tif 000007
【図６】
2005184154.tif 000008
【図７】
2005184154.tif 000009
【図８】
2005184154.tif 000010
【図９】
2005184154.tif 000011
【図１０】
2005184154.tif 000012
【図１１】
2005184154.tif 000013
【図１２】
2005184154.tif 000014